(57)【要約】  本発明は、折り畳み式の光調整装置に関し、該装置は、・  光調整装置のフレーム（２）を形成するように第１の末端部（５）と反対側の第２の末端部（６）との間で次々と相互に連結され、且つフレーム（２）を分解するように相互に切り離される複数のロッド（７）と、・  フレーム（２）に接続された布地（３）と、を備える。各ロッド（７）は、フレームが組み立てられたときおよび分解されたときにロッド（７）が互いに結合された状態を維持するように、隣接するロッドの各対の間に設けられた結合要素（１０）によって、少なくとも１つの隣接するロッドに結合される。第１の末端部（５）および第２の末端部（６）は、ロッドにそれぞれ接続される第１の端部（５ａ、６ａ）と、自由端である反対側の第２の端部（５ｂ、６ｂ）と、を有する。複数のロッドが相互に連結されたときに、第１の末端部（５）および第２の末端部（６）のそれぞれの第２の端部（５ｂ、６ｂ）は、互いに接続されて閉じたフレーム（２）を形成することができる、【選択図】図５
2022500698.tif 000002
【特許請求の範囲】
【請求項１】
折り畳み式の光調整装置であって、
・  前記光調整装置のフレーム（２）を形成するように第１の末端部（５）と反対側の第２の末端部（６）との間で次々と相互に連結され、且つ前記フレーム（２）を分解するように相互に切り離される複数のロッド（７）と、
・  前記フレーム（２）に接続された布地（３）と、
を備え、
前記複数のロッド（７）の各々は、前記フレームが組み立てられたときおよび分解されたときに前記複数のロッド（７）が互いに結合された状態を維持するように、隣接する前記ロッドの各対の間に設けられた結合要素（１０）によって、少なくとも１つの隣接する前記ロッドに結合され、
前記第１の末端部（５）および前記第２の末端部（６）は、前記ロッドにそれぞれ接続される第１の端部（５ａ、６ａ）と、別のロッドや他の末端部に結合されない別個の反対側の第２の端部（５ｂ、６ｂ）と、を有し、
前記複数のロッドが相互に連結されたときに、前記第１の末端部（５）および前記第２の末端部（６）のそれぞれの前記第２の端部（５ｂ、６ｂ）は、互いに接続されて閉じたフレーム（２）を形成することができる、
折り畳み式の光調整装置。
【請求項２】
前記第１の末端部および前記第２の末端部のうちの一方の前記第２の端部（５ｂ、６ｂ）が凸部（１４）を有し、前記第１の末端部および前記第２の末端部のうちの他方の前記第２の端部が凹部（１５）を有し、前記凹部は、前記凸部（１４）を受容して前記第１の末端部（５）と前記第２の末端部（６）とを連結させるような形状を有する、請求項１に記載の折り畳み式の光調整装置。
【請求項３】
前記凹部（１５）は、前記凸部（１４）が前記凹部（１５）に受容されたときにその上に配置される底部（１６）を有する、請求項２に記載の折り畳み式の光調整装置。
【請求項４】
前記第１の末端部（５）および前記第２の末端部（６）は、互いに接続されたときに、前記光調整装置のハンドル（１１）を形成する、請求項１〜３のいずれか１項に記載の折り畳み式の光調整装置。
【請求項５】
前記ロッド（７）は、湾曲形状を有し、平面状および円形の閉じたフレーム（２）を形成する、請求項１〜４のいずれか１項に記載の折り畳み式の光調整装置。
【請求項６】
前記ロッド（７）の各々は、中空であり、前記結合要素（１０）は、その開放端（８、９）を通って軸方向に延在する、請求項１〜５のいずれか１項に記載の折り畳み式の光調整装置。
【請求項７】
前記結合要素（１０）は、前記第１の末端部（５）の第１の端部（５ａ）から前記第２の末端部（６）の第１の端部（６ａ）まで、前記複数のロッド（７）を通って延在する、請求項６に記載の折り畳み式の光調整装置。
【請求項８】
前記結合要素（１０）は、前記フレームが組み立てられた状態にあるときに、隣接する前記ロッド（７）の各対を相互に接続するように付勢する弾性ストリングである、請求項１〜７のいずれか１項に記載の折り畳み式の光調整装置。
【請求項９】
隣接する前記ロッド（７）の各対は、隣接する前記ロッドの第２の端部（９）に軸方向に挿入される１つのロッドの第１の端部（８）によって形成される雄雌結合によって、相互に連結される、請求項１〜８のいずれか１項に記載の折り畳み式の光調整装置。
【請求項１０】
前記ロッド（７）の各々は、前記ロッドの他の部分よりも小さい断面を有する前記第１の端部（８）を除いて、一定の断面を有する、請求項９に記載の折り畳み式の光調整装置。
【請求項１１】
前記布地（３）は、展開された状態と縮小された状態との間で前記フレームに沿って滑動可能な締め付け要素（４）によって、前記フレーム（２）に接続される、請求項１〜１０のいずれか１項に記載の折り畳み式の光調整装置。
【請求項１２】
前記締め付け要素（４）は、前記フレーム（２）に取り外し可能に取り付けられるクリップを備える、請求項１〜１１のいずれか１項に記載の折り畳み式の光調整装置。
【発明の詳細な説明】
【技術分野】
【０００１】
本発明は、主請求項の前提部に記載された特徴を有する、写真撮影に使用するための折り畳み式の光調整装置（light modifier）に関する。好ましい適用例として、本発明は、平面状および円形の構成を有する折り畳み式の光調整装置に関するが、これに限定されるものではない。
【背景技術】
【０００２】
特にプロフェッショナルのレベルでの写真撮影の技術分野では、写真撮影のために所望の特定の光の状態を生成するために、光源から放出された光を調整することができる装置を使用することがよく知られている。
【０００３】
光調整装置の１つ目の例として、反射板（レフ板）が挙げられる。反射板は、一般的に様々な形状や構成を有する周囲フレームまたは剛性パネルに支持された反射材料の布地を含む。これは、一般的に平面状であり、光源から放出された光を撮影環境に向けて反射するように意図されている。
【０００４】
光調整装置の２つ目の例として、一般的に平面状のディフューザ（light diffuser）が挙げられる。ディフューザは、撮影環境に向けられた光を和らげるように意図されている。
【０００５】
これらの装置は、一般的に様々な形状および構成を有する周囲フレームに支持された透光性材料の布地を含む。この布地には、光源からの光が照射される。
【０００６】
光調整装置の３つ目の例として、撮影環境から光を抽出するように意図されたフラグが挙げられる。
【０００７】
この装置は、一般的に様々な形状および構成を有する周囲フレームまたは剛性パネルに支持された非常に不透明な材料の布地を含む。これは、一般的に平面状であり、被写体のライティングに影響を与える可能性がある撮影環境における既存の光を遮断するように意図されている。
【０００８】
光調整装置は、プロフェッショナルの写真家にとってほぼ必須のツールである。これは、（撮影中にも）頻繁に移動され、手持ちで使用されることも多い。しかしながら、これらの装置は、非常に煩雑であり、容易に持ち運びや保管ができるようにする必要がある。
【０００９】
この解決策として、光調整装置を折り畳み式にして、布地が固定されたフレームを、撮影時に使用するようにフレームが展開される動作状態と、フレームの大きさを縮小させる非動作状態との間で切り替えられる方法が知られている。
【００１０】
特に携帯可能な反射板に使用される折り畳み式の光調整装置の一例は、布地に縫い付けられた単一の柔軟な線状部材から形成された閉じたフレームを備える。これは、大きさを小さくするために容易に捻ることができる。この柔軟な線状部材は、多くの場合、引張性を有する鋼帯から形成される。しかしながら、このタイプのフレームでは、光調整装置が動作状態で展開されたときに、限られた剛性を有する光調整装置しか提供することができない。
【００１１】
折り畳み式の光調整装置の別の例は、フレームを組み立てるように相互に連結可能な複数のロッドで形成される長方形のフレームを備える。この解決策によって、所望の大きさを有する装置を形成することができるが、組み立ておよび分解の両方に時間がかかることは明らかである。別の欠点として、分解したときに、光調整装置を構成する多数の異なる個別の部品が紛失する可能性があることが挙げられる。
【００１２】
折り畳み式の光調整装置の別の例は、張力をかけるようにその端部が布地部材の角に接続され、ブラケットによって中央部が接続された４つの柔軟なロッドから形成された構造体を備える。しかしながら、このような構造は、構造の部材が光を妨げるため、ディフューザとしては実用的ではない。別の欠点として、かさばって煩雑であり、分解したときに、光調整装置を構成する多数の異なる個別の部品が紛失する可能性があることが挙げられる。
【発明の概要】
【発明が解決しようとする課題】
【００１３】
本発明の主目的は、上述した従来技術を参照して記載した欠点を少なくとも部分的に克服するように構造的および機能的に設計された折り畳み式の光調整装置を提供することである。
【００１４】
特に、本発明の目的は、迅速且つ容易に組み立てたり分解したりすることができる折り畳み式の光調整装置を提供することである。
【００１５】
また別の目的は、分解したときに大きさが実質的に縮小される折り畳み式の光調整装置を提供することである。
【００１６】
また別の目的は、分解したときにディフューザボックス（ソフトボックス）の部品を紛失する可能性を低減することである。
【００１７】
また別の目的は、ユーザが折り畳み式の光調整装置を正しく組み立てられるように補助することである。
【００１８】
また別の目的は、組み立てられたときに十分な剛性を有する折り畳み式の光調整装置を提供することである。
【００１９】
上述した目的およびその他の目的は、添付の特許請求の範囲に従って実現された折り畳み式の光調整装置による本発明よって得られるであろう。
【課題を解決するための手段】
【００２０】
したがって、一態様において、本発明は、折り畳み式の光調整装置に関する。該光調整装置は、光調整装置のフレームを形成するように第１の末端部と反対側の第２の末端部との間で次々と相互に連結され、且つフレームを分解するように相互に切り離される複数のロッドと、フレームに接続された布地と、を備える。
【００２１】
好ましくは、複数のロッドの各々は、フレームが組み立てられたときおよび分解されたときに複数のロッドが互いに結合された状態を維持するように、隣接するロッドの各対の間に設けられた結合要素によって、少なくとも１つの隣接するロッドに結合される。
【００２２】
好ましくは、第１の末端部および第２の末端部の各々は、ロッドにそれぞれ接続される第１の端部と、ロッドや他の末端部に結合されない別個の反対側の第２の端部と、を有する。
【００２３】
好ましくは、複数のロッドが相互に連結されたときに、第１の末端部および第２の末端部のそれぞれの第２の端部は、互いに接続されて閉じたフレームを形成することができる。
【００２４】
上述した特徴によって、本発明による光調整装置は、後続のロッドの間に結合要素を設けることによって便利に定義された順序でロッドを次々に接続することで、容易且つ迅速に組み立てることができる。
【００２５】
有利には、光調整装置のフレームは、ロッドの数や大きさに応じて、非常に小さく折り畳むことができる。実際、結合要素を設けることで、ロッドが多数であったり短かったりした場合でも、フレームの組み立てに必要な要素を紛失する可能性を実質的に回避することができることに留意されたい。
【００２６】
また、ロッドは便利に剛性を有してもよい。これにより、連結によって形成されるフレームは、大きく変形することなく、自重や布地の重さを支えることができる剛性を有することができる。
【００２７】
また、フレームを閉じるように互いに接続される２つの末端部を設けることで、異なる形状を有するフレーム、特に所望の円形の形状を有するフレームを設計する能力が向上することにも留意されたい。
【００２８】
本明細書および添付の特許請求の範囲において、「円形」という用語は、円形またはほぼ円形、長円形または卵形、楕円形、長楕円形など、実質的に片面で任意の幾何学的構成を定義するように意図されている。
【００２９】
また、ユーザが独立して動かすことができる２つの個別の末端部を設けることで、ロッド間の迅速且つ正確な連結が可能になる。
【００３０】
上記を鑑みて、本発明は、以下に示す好ましい特徴のうちの少なくとも１つを有してもよい。
【００３１】
光調整装置は、布地の特性に応じて、反射板であってもよく、ディフューザであってもよく、フラグであってもよい。
【００３２】
好ましくは、第１の末端部および第２の末端部のうちの一方の第２の端部が凸部を有し、第１の末端部および第２の末端部のうちの他方の第２の端部が凹部を有する。凹部は、凸部を受容して第１の末端部と第２の末端部とを連結させるような形状を有する。
【００３３】
このようにして、操作者は、別のツールを使用することなく、末端部の第２の端部の幾何学的特徴のみを用いて、閉じたフレームを形成する２つの末端部の接続を迅速に行うことができる。
【００３４】
最も好ましい実施形態では、凸部および凹部は、蟻継ぎ式連結を形成するような形状を有する。
【００３５】
好ましくは、凹部は、凸部が凹部に受容されたときにその上に配置される底部を有する。
【００３６】
底部は、第２の末端部の片側で凹部を閉じる。これにより、凸部は、一方向でのみ、および必ず正しい位置まで凹部に挿入されて、第１の末端部が第２の末端部と同一平面になるようにすることができる。また、凹部に底部を設けることで、結合全体をより安定させることができる。
【００３７】
好ましくは、第１の末端部および第２の末端部は、互いに接続されたときに、光調整装置のハンドルを形成する。
【００３８】
このようにして、末端部は、光調整装置の有用な要素を形成するために便利に使用されると同時に、それらに布地を取り付けるための特別な形状を有する必要がない。
【００３９】
好ましい実施形態では、すべてのロッドは、湾曲形状を有し、円形の閉じたフレームを形成する。
【００４０】
特に、閉じたフレームは、円形であってもよく、楕円形であってもよく、長円形であってもよい。
【００４１】
最も好ましい実施形態では、閉じたフレームは、平面状である。
【００４２】
なお、このようなタイプの幾何学的構成は、接続可能な末端部が設けられない場合、組み立てや分解が非常に困難になることに留意されたい。これらの末端部によって、まず開いたフレームが（複数のロッドを連結することで）組み立てられ、次いで、閉じたフレームが（２つの末端部を接続することで）形成される。
【００４３】
好ましくは、第１の末端部または第２の末端部には、ねじ付き座部が設けられる。
【００４４】
このようにして、フレームは、スタンドや三脚などの外部の支持体に便利に取り付けることができる。
【００４５】
好ましくは、光調整装置のフレームを形成するすべてのロッドには、それらの間に延在する結合要素が設けられる。
【００４６】
好ましくは、各ロッドは、中空であり、結合要素は、その開放端を通って軸方向に延在する。
【００４７】
より好ましくは、結合要素は、第１の末端部の第１の端部から第２の末端部の第１の端部まで、複数のロッドを通って延在する。
【００４８】
この特徴によって、フレームを容易に実現することができる。これは、使用する結合要素は１つだけで、中空ロッドを通った後に両側の端部（２つの末端部のそれぞれの第１の端部）でのみ固定されるからである。
【００４９】
また、結合要素は、隣接するロッドの各対のそれぞれの端部のガイドとして機能するため、非常に迅速に互いに正確に接続することができる。これにより、組立作業を短時間で行うことができる。
【００５０】
好ましくは、結合要素は、フレームが組み立てられた状態にあるときに、隣接するロッドの各対を相互に接続するように付勢する弾性ストリングである。
【００５１】
この特徴により、ロッド間の接続が強固になり、フレーム全体がより安定する。
【００５２】
本明細書および添付の特許請求の範囲では、「ストリング」という用語は、低い弾性率と高い柔軟性を有する細長い要素を意味する。この定義に含まれる細長い要素の例には、コード、リボン、バンド、紐、糸およびロープが含まれる。
【００５３】
好ましくは、隣接するロッドの各対は、隣接するロッドの第２の端部に軸方向に挿入される１つのロッドの第１の端部によって形成される雄雌結合によって、相互に連結される。
【００５４】
特定の好ましい実施形態では、各ロッドは、ロッドの他の部分よりも小さい断面を有する第１の端部を除いて、一定の断面を有する。
【００５５】
好ましくは、布地は、展開された状態と縮小された状態との間でフレームに沿って滑動可能な締め付け要素によって、フレームに接続される。
【００５６】
このようにして、布地を、展開された状態から、光調整装置の持ち運びや保管に使用される縮小された状態に移動させることができ、すべての締め付け要素を切り離す必要がない。
【００５７】
より好ましくは、締め付け要素は、フレームに取り外し可能に取り付けられるクリップを備える。
【００５８】
このようにして、布地またはその一部とフレームとの接続を容易且つ迅速に行うことができる。これにより、布地の交換が有利に可能になり、ユーザは、特定の反射板から別の種類の反射板に交換したり、ディフューザやフラグに切り替えたりすることができる。
【図面の簡単な説明】
【００５９】
本発明の特徴および利点は、添付の図面を参照して非限定的に例示された本発明の好ましい実施形態に関する以下の詳細な説明からより明らかになるであろう。
【図１】展開された状態にある、本発明に従って実現された折り畳み式の光調整装置の模式図である。
【図２】分解された状態にある、図１に示す折り畳み式の光調整装置のフレームの模式図である。
【図３】図２に続く、折り畳み式の光調整装置のフレームの模式図である。
【図４】図３に続く、折り畳み式の光調整装置のフレームの模式図である。
【００６０】
【図５】図４に続く、折り畳み式の光調整装置のフレームの模式図である。
【図６】組み立てられた状態にある、図５に続く折り畳み式の光調整装置のフレームの模式図である。
【図７】図１に示す光調整装置の各部分を拡大して示す模式図である。
【図８】図１に示す光調整装置の各部分を拡大して示す模式図である。
【発明を実施するための形態】
【００６１】
添付の図面では、本発明に従って実現された折り畳み式の光調整装置が参照符号１によって全体として示されている。
【００６２】
図１には、展開された状態にある、写真撮影に適した光調整装置１が示されている。
【００６３】
光調整装置１は、反射板であり、展開された状態では、平面状および円形の形状を有する。
【００６４】
別の実施形態では、反射板は、ディフューザであってもよく、フラグであってもよく、楕円形、長円形、四角形などの便利な形状を有してもよい。
【００６５】
光調整装置１は、光調整装置を構造的に支持するフレーム２と、締め付け要素４によってフレーム２に取り外し可能に接続される布地３と、を備える。
【００６６】
フレーム２は、第１の末端部５と、第２の末端部６と、第１の末端部５から第２の末端部６へと相互に次々と接続された複数のロッド７と、を備える。
【００６７】
特に、第１の末端部５は、ロッド７に強固に固定された第１の端部５ａと、ロッドや第２の末端部６に結合または接続されない自由端である、反対側の第２の端部５ｂと、を有する。
【００６８】
同様に、第２の末端部６は、ロッド７に強固に固定された第１の端部６ａと、ロッドや第１の末端部５に結合または接続されない自由端である、反対側の第２の端部６ｂと、を有する。
【００６９】
好ましくは、第１の末端部５および第２の末端部６は、プラスチックから形成され、第１の端部５ａ、６ａは、フレーム２を形成する複数のロッド７の始端と終端を定義するロッド７にそれぞれ固定される。
【００７０】
好ましくは、ロッド７は、アルミニウムや複合材料などの剛性または半剛性を有する材料から形成される。
【００７１】
好ましくは、すべてのロッド７は、実質的に同じ長さおよび同じ曲率を有して、円形のフレーム２のそれぞれの円弧部を形成する。
【００７２】
第１の末端部５および第２の末端部６に固定された２つのロッドを除くすべてのロッド７は、第１の端部８と、第１の端部８に対して軸方向に反対側の第２の端部９と、を有する。
【００７３】
隣接するロッド７の各対は、隣接するロッド７の第２の端部９に軸方向に挿入される１つのロッド７の第１の端部８によって形成される雄雌結合によって、相互に連結される。
【００７４】
すべてのロッド７は、好ましくは中空であり、隣接するロッドの第２の端部９への挿入を可能にする小さい断面を有する第１の端部８を除いて、ロッドに沿って一定の直径の円形断面を有する。
【００７５】
特に、第１の端部８は、第２の端部９におけるロッドの壁の厚さによって減らされたロッドの他の部分の直径に等しい断面を有する。
【００７６】
本発明の好ましい実施形態によれば、すべてのロッド７は、フレームが組み立てられたときおよび分解されたにときにロッド７が互いに結合された状態を維持するように、結合要素１０によって、隣接するロッドに結合される。
【００７７】
特に、結合要素１０は、第１の末端部５の第１の端部５ａから第２の末端部６の第１の端部６ａまで、すべてのロッド７を通って延在する。
【００７８】
好ましくは、結合要素１０は、弾性ストリングである。弾性ストリングは、ロッド７を相互に係合するように付勢するような、およびユーザが２つの隣接するロッドに十分な引張力を加えたときにそれらの係合を解除するような長さおよび弾性率を有する。
【００７９】
第１の末端部５および第２の末端部６は、第１の末端部５の第２の端部５ｂに設けられた蟻継ぎ形状の凸部１４と、凸部５ａと係合するようにそれを受容する第２の末端部６の第２の端部６ｂに設けられた対応する凹部１５とによって形成される蟻継ぎ式結合によって、互いに接続される。
【００８０】
一方の側では、凹部１５は、凸部１４が凹部１５に受容されたときにその上に配置される底部１６によって閉じられている（図８参照）。
【００８１】
したがって、第１の末端部５および第２の末端部６は、ツールを使用することなく、ユーザによって互いに直接連結することができる。
【００８２】
また、第１の末端部５および第２の末端部６は、互いに接続されたときに、光調整装置１のハンドル１１を形成するように構成される。
【００８３】
特に、第１の末端部５および第２の末端部６は、ロッド７よりも太く、光調整装置１の内側（例えば布地３）に対向するように意図された側に凹部１２を有する。これにより、ユーザは、ハンドル１１を快適に且つしっかりと把持することができる。
【００８４】
好ましくは、第１の末端部５または第２の末端部６には、三脚やスタンドの標準的なねじと係合するようにそれを受容するのに適したねじ付き座部１３が設けられる。
【００８５】
布地３は、任意の便利な方法および材料で作製されてもよく、展開された状態（図１）と縮小された状態（図２）との間で移動することができる締め付け要素４によって、フレーム２に接続される。
【００８６】
好ましくは、締め付け要素４は、クリップの形態であり、フレーム２と容易に結合したり結合解除されたりすることができ、また、フレームに取り付けられたときに、ロッド７に沿って容易に滑動することができる。
【００８７】
光調整装置１は、ユーザによって、図１に示す展開された状態から、光調整装置が分解される縮小された状態に折り畳むことができる。これにより、邪魔になる部分を減らして、持ち運びや保管に適した状態にすることができる。
【００８８】
光調整装置１の組み立ておよび分解は、後述するように、非常に迅速且つ容易に行うことができる。
【００８９】
図２では、フレーム２が分解されて、布地３（分かりやすくするために図示せず）がフレームから取り外された状態にある光調整装置１が示されている。
【００９０】
分解されたフレーム２では、第１の末端部５、第２の末端部６およびすべてのロッド７が切り離されているが、紛失しないように、結合要素１０によってすべて結合されている。
【００９１】
フレーム２を組み立てるには、ユーザは、第１の末端部５および第２の末端部６を手でつかみ、これを動かして（必要に応じて静かに揺することもある。図３参照。）、隣接するロッド７の間の自己結合を助ける。また、ロッド７は、結合要素１０を形成する弾性ストリングによって誘導および付勢されて、第１の端部８を隣接するロッドの第２の端部９にそれぞれ挿入することによって、互いに接続される（図４）。
【００９２】
すべてのロッド７が連結されると、第１の末端部５および第２の末端部６とが接近し（図５）、底部１６に到達するまで凸部１４を凹部１５に挿入することで、第１の末端部５および第２の末端部６が容易に接続される。これにより、フレーム２が閉じられてハンドル１１が形成される（図６）。
【００９３】
次いで、布地３は、クリップ４によって、フレーム２に取り付けられる（図７）。クリップ４は、ロッド７に沿って便利に滑動可能であり、組み立てられたときに、すべてのロッドに沿って一定の断面を示す。
【００９４】
ここで、光調整装置１は、図１に示す展開された動作状態にあり、ユーザが直接支持して扱うことができ、また、例えばねじ付き座部１３を使用して適切なスタンドや三脚に結合することができる。
【００９５】
ディフューザボックス１の分解作業は、少なくとも一部のクリップ４の結合を解除して、布地３をフレーム２に沿って滑動させることで行われる。
【００９６】
次いで、第１の末端部５と第２の末端部６との結合が解除され、例えば第１の末端部５から始めて、第２の末端部６まで、後続のロッドの各対を引っ張って引き離して互いに折り畳むことで、ロッド７を次々と切り離すことができる。
【００９７】
このようにして、フレーム２の大きさが実質的に縮小され、結合要素１０によって結合されたままのロッド７は、紛失する可能性なく、順番に積み上げられる。
【００９８】
第２の末端部６に押し付けられた布地３は、ロッド７を包むために使用されてもよく、代替的に、すべてのクリップ４の結合を解除した後にフレーム２から完全に取り外されてもよい。
【００９９】
この折り畳まれた状態では、光調整装置１の邪魔になる部分は、展開された状態における邪魔になる部分の約１／１２となる。これにより、大きさを大幅に圧縮することができる。
【０１００】
言うまでもなく、当業者であれば、特定且つ偶発的な用途における要件に対応するように、上述した発明に追加の修正および変形を加えることができる。これらのバリエーションおよび変形例は、添付の特許請求の範囲によって定義される保護の範囲に含まれる。
【図１】
2022500698.tif 000003
【図２】
2022500698.tif 000004
【図３】
2022500698.tif 000005
【図４】
2022500698.tif 000006
【図５】
2022500698.tif 000007
【図６】
2022500698.tif 000008
【図７】
2022500698.tif 000009
【図８】
2022500698.tif 000010
【国際調査報告】
2022500698.tif 000011
2022500698.tif 000012